(57)【要約】      （修正有）【課題】マスクの交換頻度を抑えつつ、マスクの内側の衛生を保つことができるマスクを提供する。【解決手段】マスク１は、両端部に紐５を有するマスク本体２と、通気性を有し、マスク本体２の内側に着脱されるフィルター部６とを備える。フィルター部６の素材は通気性があり、例えば、紙製のタオルやティッシュペーパーである。咳やくしゃみをした場合、飛沫物は、フィルター部６に付着し、フィルター部６が汚染される。この場合、マスク本体２を交換せずとも、フィルター部６のみを交換すれば、衛生が保たれる。【選択図】図１
0003230900.tif 000002
【実用新案登録請求の範囲】
【請求項１】
両端部に紐を有するマスク本体と、
通気性を有し、前記マスク本体の内側に着脱されるフィルター部と、を備える、
ことを特徴とするマスク。
【請求項２】
前記マスク本体が、不織布であり、
前記フィルター部が、衛生紙であり、横幅方向の両端部に、前記紐が通されるスリットが形成された、
ことを特徴とする請求項１に記載されたマスク。
【請求項３】
前記マスク本体の内側の横幅方向の両端部に、ポケット部を有し、
前記フィルター部が、衛生紙であり、
前記フィルター部の両端部が、前記ポケット部に挿し込まれることで、前記フィルター部が前記マスク本体の内側に設けられる、
ことを特徴とする請求項１に記載されたマスク。
【請求項４】
前記フィルター部に、抗菌処理及び消臭処理が施された、
ことを特徴とする請求項１から請求項３の何れか１項に記載のマスク。
【考案の詳細な説明】
【技術分野】
【０００１】
本考案は、鼻や口元を覆うマスクに関するものである。
【背景技術】
【０００２】
従来、例えば、ウイルス、花粉、埃等（以下「ウイルス等」と記す。）によるアレルギー症や感染症を予防するために、口や鼻を覆うマスクがある。マスクの外面には、ウイルス等が付着して汚染される。一方、マスクの内面は、咳やくしゃみをした時の飛沫物が付着し汚染される。そのため、マスクは、日々洗浄し、衛生を保つ必要がある。洗浄して使用されるマスク以外にも、使い捨てのマスクが多数開示されている（例えば、特許文献１）。使い捨てマスクは、日々新しいものに交換することで、使用者は衛生を保っている。
【先行技術文献】
【特許文献】
【０００３】
【特許文献１】登録実用新案第３２０３０８７号公報
【考案の概要】
【考案が解決しようとする課題】
【０００４】
しかし、使い捨てのマスクは、日々交換すれば費用は嵩み、インフルエンザウイルスやコロナウイルス等が拡散すれば突発的に需要が増し、市場においてマスクが不足し、日々交換するために要する枚数を確保することが困難となる。
【０００５】
本考案は、この様な実情に鑑みて提案されたものであり、マスクの交換頻度を抑えつつ、マスクの内側の衛生を保つことができるマスクの提供することを目的とする。
【課題を解決するための手段】
【０００６】
上記目的を達成するために、本考案に係るマスクは、両端部に紐を有するマスク本体と、通気性を有し、マスク本体の内側に着脱されるフィルター部とを備えることを特徴とする。
【０００７】
本考案に係るマスクは、マスク本体が不織布であり、フィルター部が衛生紙であり、横幅方向の両端部に紐が通されるスリットが形成されたことを特徴とする。
【０００８】
本考案に係るマスクは、マスク本体が、内側の横幅方向の両端部に、ポケット部を有し、フィルター部が衛生紙であり、フィルター部の両端部が、ポケット部に挿し込まれることで、フィルター部がマスク本体の内側に設けられることを特徴とする。
【０００９】
本考案に係るマスクは、フィルター部に、抗菌処理及び消臭処理が施されたことを特徴とする。
【考案の効果】
【００１０】
本考案に係るマスクは、通気性を有し、マスク本体の内側に着脱されるフィルター部を備えているため、咳やくしゃみによる飛沫物がフィルター部に付着した場合でも、フィルター部を取り替えることができ、マスクの内側の衛生を保つことができる。
【００１１】
本考案に係るマスクは、マスク本体と、このマスク本体の紐が通されてマスク本体の内側に着脱される通気性素材のフィルター部とを有している。この構成により、仮に、マスク本体が汚染された場合であっても、ウイルス等は、内側のフィルター部に至らないため、少なくとも口や鼻と直接接触する部位において、衛生を保つことができる。
【００１２】
本考案に係るマスクは、マスク本体が不織布であり、フィルター部が衛生紙であり、横幅方向の端部に、紐が通されるスリットが形成されている。そのため、スリットに紐を通し、フィルター部をマスク本体の内側に設けることができる。また、スリットから紐を抜くことで、フィルター部をマスク本体から取り外すことができる。
したがって、フィルター部の交換（脱着）が容易である。
【００１３】
本考案に係るマスクは、マスク本体が内側の横幅方向の両端部にポケット部を有している。フィルター部の両端部がポケット部に挿し込まれることで、フィルター部をマスク本体の内側に設けることができ、フィルター部の両端部をポケット部から抜くことで、フィルター部をマスク本体から取り外すことができる。
したがって、フィルター部を容易に取り替えることができる。
【００１４】
本考案に係るマスクは、フィルター部に、抗菌処理及び消臭処理が施されている。したがって、フィルター部に菌やウイルスが付着した場合でも、衛生を保つことができる。
【図面の簡単な説明】
【００１５】
【図１】本考案の第一実施形態に係るマスクを示す図である。（ａ）は外観斜視図であり、（ｂ）は平面図である。
【図２】本考案の第一実施形態に係るマスクを構成するマスク本体とフィルター部の平面図である。（ａ）はマスク本体であり、（ｂ）はフィルター部を示す。
【図３】本考案の第二実施形態に係るマスクの背面図である。
【図４】本考案の第二実施形態に係るマスクを構成するマスク本体の斜視図である。
【考案を実施するための形態】
【００１６】
［第一実施形態］
本考案の本実施形態に係るマスクを図１及び図２に基づいて説明する。
【００１７】
マスク１は、図１（ａ）に示されているとおり、マスク本体２と、フィルター部６とから構成される。具体的には、図１（ｂ）に示されているとおり、マスク１は、マスク本体２の内側にフィルター部６を備える。このフィルター部６は、マスク本体２に対して、着脱可能である。
【００１８】
マスク本体２は、少なくとも外側素材と内側素材を有し、このマスク本体２の素材は、例えば、不織布、綿、シルク等である。マスク本体２は、着用者（図示省略。）の口及び鼻を覆うことができる程度の大きさであり、ほぼ長方形である。マスク本体２は、図２（ａ）に示されているとおり、左右方向に向けて複数のプリーツ３が施されている。複数のプリーツ３によってマスク本体２の中央部を膨らませ、立体的な形状で顔に着用できる。また、マスク本体２の上端部の外側素材と内側素材の間には、形状を維持するためのワイヤー４が設けられている。ワイヤー４の素材は、例えば、ポリエチレンや金属等である。なお、ワイヤー４は、マスク本体２の上端部に加えて、中央部にも設けられていてもよい。マスク本体２は、横幅方向の端部に、それぞれ紐５が取り付けられている。紐５の素材は、例えば、布やゴムである。このマスク本体２には、市販の使い捨てマスクを使用する。
【００１９】
フィルター部６の素材は、通気性がある衛生紙、例えば、紙製のタオル、ティッシュペーパー、不織布、綿等である。フィルター部６は、適宜、脱臭処理、消臭処理、滅菌処理、抗菌処理、抗ウイルス処理、抗カビ処理、触媒処理等が施されている。例えば、フィルター部６は、活性炭、ゼオライト、フラボノイド、タンニン、カテキン、ポリフェノール等の消臭剤又は脱臭剤が含浸されていてもよいし、例えば、銀イオンを担持したゼオライト等の抗菌剤が含浸されていてもよい。
フィルター部６は長方形であり、図２（ｂ）に示されているとおり、横幅Ｗ２はマスク本体２の横幅Ｗ１よりも大きく、縦幅は、ほぼ同じである。横幅方向の両端部には、マスク本体２の紐５が通されるスリット７が一つ形成されている。このスリット７は、縦幅方向に形成されている。
【００２０】
上記のとおり構成されたマスク１は、スリット７に紐５が通され、フィルター部６がマスク本体２の内面に当てられる（図１（ｂ））。この状態で、着用者は、紐５を耳に掛け、マスク本体２で、フィルター部６を介して口と鼻とを覆うことで、マスク１を着用する。
【００２１】
次に、本実施形態に係るマスクの作用効果を説明する。
【００２２】
本実施形態に係るマスク１は、マスク本体２と、スリット７が形成されたフィルター部６とから構成され、フィルター部６の素材は、通気性があり、例えば、紙製のタオルやティッシュペーパーである。スリット７に紐５を通し、フィルター部６をマスク本体２の内面側に移動させることで、フィルター部６をマスク本体２の内面に当てられる。この構成により、マスク本体２が汚染された場合であっても、外気に含まれているウイルス等は、内面のフィルター部６に至らないため、少なくとも口や鼻と直接接触する部位において、衛生を保つことができる。
【００２３】
一方、咳やくしゃみをした場合、飛沫物は、フィルター部６に付着し、フィルター部６が汚染される。この場合、マスク本体２を交換せずとも、フィルター部６のみを交換すれば、衛生が保たれる。したがって、フィルター部６が汚染された場合でも、マスク本体２を使い捨てせずに済み、経済的である。
【００２４】
また、フィルター部６が衛生紙であり、紐５がスリット７に通される構成であれば、フィルター部６の交換が容易であるし、構成が簡便である。
【００２５】
本実施形態では、フィルター部６は、適宜、脱臭処理、消臭処理、滅菌処理、抗菌処理、抗ウイルス処理、抗カビ処理、触媒処理等が施されている。そのため、フィルター部６に飛沫物が付着した場合でも、飛沫物に含まれる菌やウイルスを不活性化することができ、マスク１の内側の衛生を保つことができる。
【００２６】
［第二実施形態］
本実施形態に係るマスクを図３及び図４に基づいて説明する。第一実施形態では、スリットを設けたフィルター部を取り付ける例を示したが、本実施形態では、スリットが設けられていないフィルター部も取り付けることができるマスク１Ａについて説明する。
【００２７】
本実施形態に係るマスク１Ａは、図３に示されているとおり、マスク本体１０と、マスク本体１０の内側に設けられたフィルター部１２とを備えている。このフィルター部１２は、通気性を有し、マスク本体１０の内側に取り付け、取り外しされる。
【００２８】
マスク本体１０は、布製であり、中央部が前方に膨らんだ形状である。このマスク本体１０は、図４に示されているとおり、マスク本体１０の裏側かつ横幅方向の両側にポケット部１１がそれぞれ形成されている。ポケット部１１は、互いに向き合う開口部１３を有している。これらのポケット部１１は、マスク本体１０を構成する布の両端部を折り畳み、縫製することで形成される。
【００２９】
フィルター部１２は、第一実施形態で説明した素材と同じものを使用する。このフィルター部１２は、マスク本体１０よりも小さく、長方形である。フィルター部１２は、両端部を各ポケット部１１に挿し込むことで、マスク本体１０に装着される。
【００３０】
本実施形態のマスク１Ａでは、フィルター部６がポケット部１１に挿し込むだけでマスク本体１０に装着することができ、スリット７が形成されたフィルター以外のフィルター部６でも、マスク本体１０に容易に取り付け及び取り外しできる。
そのため、飛沫物が付着することにより、フィルター部６が汚染された場合でも、簡単にフィルター部６のみを交換し、マスク１Ａの内側の衛生を保つことができる。
【００３１】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。本考案では、マスク本体は、立体形状でもよく、任意の形状とすることができる。フィルター部には、通気性がよい布製のものも使用することができる。また、フィルター部は、マスク本体の内面に設けられていればよく、マスク本体の内面に当てた構成でも良い。
【符号の説明】
【００３２】
１，１Ａ    マスク
２      マスク本体
３      プリーツ
４      ワイヤー
５      紐
６      フィルター部
７      スリット
１０    マスク本体
１１    ポケット部
１２    フィルター部
１３    開口部
Ｗ１    幅（マスク本体２の幅）
Ｗ２    幅（フィルター部６の幅）
【図１】
0003230900.tif 000003
【図２】
0003230900.tif 000004
【図３】
0003230900.tif 000005
【図４】
0003230900.tif 000006